(57)【要約】【課題】冷却運転する際に送風機カバーと駆動軸とが凍結することを簡易な制御で防止することができる冷蔵庫を提供する。【解決手段】本発明の冷蔵庫１０は、貯蔵室に供給風路を経由して供給される空気を冷却する冷凍サイクルの冷却器４２と、冷却器４２が配設されて貯蔵室につながる送風口が形成される冷却室２３と、送風口３６から供給される空気を貯蔵室に向けて送風する送風機５０と、送風口３６を少なくとも部分的に塞ぐ遮蔽装置６０と、制御装置７０と、を具備する。また、遮蔽装置６０は、送風機５０を冷却室２３の外側から覆う送風機カバー６１と、送風機カバー６１の開閉を駆動する駆動軸６２と、駆動軸６２と送風機カバー６１との間に形成されたネジ機構と、駆動軸６２を回転させるモータ９３と、を有する。そして、制御装置７０は、貯蔵室の庫内環境が所定の場合に、モータ９３を減速する。【選択図】図８
2020094710.tif 000002
【特許請求の範囲】
【請求項１】
貯蔵室に供給風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する送風機と、前記送風口を少なくとも部分的に塞ぐ遮蔽装置と、前記冷凍サイクル、前記送風機および前記遮蔽装置の動作を制御する制御装置と、を具備し、
前記遮蔽装置は、前記送風機を前記冷却室の外側から覆う送風機カバーと、前記送風機カバーの開閉を駆動する駆動軸と、前記駆動軸と前記送風機カバーとの間に形成されたネジ機構と、前記駆動軸を回転させるモータと、を有し、
前記制御装置は、前記貯蔵室の庫内環境が所定の場合に、前記モータを減速することを特徴とする冷蔵庫。
【請求項２】
前記制御装置は、前記貯蔵室を閉鎖する扉が開閉された場合に、前記貯蔵室の前記庫内環境に応じて前記モータを減速することを特徴とする請求項１に記載の冷蔵庫。
【請求項３】
前記貯蔵室の温度を計測する温度センサと、前記冷凍サイクルが前記貯蔵室を冷却する時間を計測するタイマと、を更に具備し、
前記制御装置は、前記温度センサで計測された前記貯蔵室の温度変化が所定以上であった場合、または、前記タイマで計測した前記冷凍サイクルの連続運転時間が所定以上であった場合に、前記モータを減速することを特徴とする請求項１または請求項２に記載の冷蔵庫。
【請求項４】
前記制御装置が前記モータを減速する時間は、除霜行程が終了した後の２サイクル以内であることを特徴とする請求項１から請求項３の何れかに記載の冷蔵庫。
【発明の詳細な説明】
【技術分野】
【０００１】
本発明は、貯蔵室内に食品等を冷却保存する冷蔵庫に関し、特に、貯蔵室に繋がる風路を適宜塞ぐ遮蔽装置を備えた冷蔵庫に関する。
【背景技術】
【０００２】
従来から、特許文献１に記載されたような、一つの冷却器で複数の貯蔵室を適宜冷却する冷蔵庫が知られている。
【０００３】
図１１に、この文献に記載された冷蔵庫１００を模式的に示す。この図に示す冷蔵庫１００には、上方から、冷蔵室１０１、冷凍室１０２および野菜室１０３が形成されている。冷凍室１０２の奥側には、冷却器１０８が収納される冷却室１０４が形成されており、冷却室１０４と冷凍室１０２とを区画する区画壁１０５には、冷気を各貯蔵室に供給するための開口部１０６が形成されている。また、開口部１０６には、冷気を送風する送風ファン１０７が配設されており、この送風ファン１０７を覆う送風機カバー１１０が冷凍室１０２側に配置されている。冷蔵室１０１に供給される冷気が流通する風路１０９の途中には、ダンパ１１４が配設されている。
【０００４】
図１２を参照して、上記した送風機カバー１１０を詳述する。送風機カバー１１０は、略四角形形状を呈する凹部１１１が形成されており、凹部１１１の上部を部分的に切り欠いて開口部１１３が形成されている。ここで、送風機カバー１１０が、上記した送風ファン１０７を覆う状況では、送風機カバー１１０の開口部１１３は、冷蔵庫本体側の風路１０９と連通している。
【０００５】
上記した構成の冷蔵庫１００は次のように動作する。図１１を参照して、先ず、冷蔵室１０１および冷凍室１０２の両方を冷却する場合は、送風機カバー１１０を送風ファン１０７から離間させ、ダンパ１１４を開き、この状態で送風ファン１０７を回転させる。そうすると、冷却室１０４の内部で冷却器１０８により冷却された冷気の一部は、送風ファン１０７の送風力で、冷凍室１０２に送風される。また、この冷気の他の一部は、風路１０９、ダンパ１１４および風路１０９を経由して、冷蔵室１０１に送風される。これより、冷凍室１０２と冷蔵室１０１の両方が冷却される。
【０００６】
一方、冷蔵室１０１のみを冷却する際には、送風ファン１０７を送風機カバー１１０で覆い、ダンパ１１４を開き、この状態にて冷却器１０８で冷却された冷気を送風ファン１０７で送風する。送風機カバー１１０を閉鎖状態にすると、送風機カバー１１０の上部に形成された開口部１１３が、風路１０９と連通するようになる。よって、送風ファン１０７で送風された冷気は、上記した開口部１１３、ダンパ１１４、風路１０９を経由して、冷蔵室１０１に供給される。
【０００７】
上記のように、開口部１１３が形成された送風機カバー１１０を用いることで、一つの冷却器１０８で、複数の貯蔵室を適宜冷却することが可能とされている。
【先行技術文献】
【特許文献】
【０００８】
【特許文献１】特開２０１３−２６６４号公報
【発明の概要】
【発明が解決しようとする課題】
【０００９】
しかしながら、従来の冷蔵庫に於ける送風構造では、送風機カバー１１０を駆動する駆動機構が凍結することで、送風機カバー１１０の開閉が困難になってしまう恐れがあった。
【００１０】
具体的には、上記した冷蔵庫１００に於いて、冷蔵室１０１に鍋物などの高温多湿な被貯蔵物を貯蔵した場合、被貯蔵物から発せられる水分は、図示しない帰還風路を経由して冷却室１０４に到達する。また、上記したように、送風機カバー１１０およびその駆動機構は冷却室１０４の直近に配置されている。よって、この水分が送風機カバー１１０を駆動する駆動機構に付着して凍結すると、送風機カバー１１０を開閉動作させることかできず、送風機カバー１１０による風路の開閉制御を行うことができない。また、送風機カバー１１０の凍結を防止するために、送風機カバー１１０の近傍にヒータを配置して加熱すると、冷蔵庫１００の構成が複雑化して製造コストが増加する。更には、ヒータが電力を消費することで、冷蔵庫１００の運転コストが上昇する課題も発生する。
【００１１】
本発明は、上記の事情に鑑みてなされたものであり、その目的とするところは、送風機カバーを駆動する機構が凍結することを簡易な制御で防止することができる冷蔵庫を提供することにある。
【課題を解決するための手段】
【００１２】
本発明の冷蔵庫は、貯蔵室に供給風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する送風機と、前記送風口を少なくとも部分的に塞ぐ遮蔽装置と、前記冷凍サイクル、前記送風機および前記遮蔽装置の動作を制御する制御装置と、を具備し、前記遮蔽装置は、前記送風機を前記冷却室の外側から覆う送風機カバーと、前記送風機カバーの開閉を駆動する駆動軸と、前記駆動軸と前記送風機カバーとの間に形成されたネジ機構と、前記駆動軸を回転させるモータと、を有し、前記制御装置は、前記貯蔵室の庫内環境が所定の場合に、前記モータを減速することを特徴とする。
【００１３】
また、本発明の冷蔵庫では、前記制御装置は、前記貯蔵室を閉鎖する扉が開閉された場合に、前記貯蔵室の前記庫内環境に応じて前記モータを減速することを特徴とする。
【００１４】
また、本発明の冷蔵庫では、前記貯蔵室の温度を計測する温度センサと、前記冷凍サイクルが前記貯蔵室を冷却する時間を計測するタイマと、を更に具備し、前記制御装置は、前記温度センサで計測された前記貯蔵室の温度変化が所定以上であった場合、または、前記タイマで計測した前記冷凍サイクルの連続運転時間が所定以上であった場合に、前記モータを減速することを特徴とする。
【００１５】
また、本発明の冷蔵庫では、前記制御装置が前記モータを減速する時間は、除霜行程が終了した後の２サイクル以内であることを特徴とする。
【発明の効果】
【００１６】
本発明の冷蔵庫は、貯蔵室に供給風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する送風機と、前記送風口を少なくとも部分的に塞ぐ遮蔽装置と、前記冷凍サイクル、前記送風機および前記遮蔽装置の動作を制御する制御装置と、を具備し、前記遮蔽装置は、前記送風機を前記冷却室の外側から覆う送風機カバーと、前記送風機カバーの開閉を駆動する駆動軸と、前記駆動軸と前記送風機カバーとの間に形成されたネジ機構と、前記駆動軸を回転させるモータと、を有し、前記制御装置は、前記貯蔵室の庫内環境が所定の場合に、前記モータを減速することを特徴とする。これにより、本発明の冷蔵庫によれば、貯蔵室が所定の環境となった場合に、駆動軸を回転するモータを減速することで、モータのトルクを大きくし、凍結によりネジ機構が固まってしまうことを防止できる。
【００１７】
また、本発明の冷蔵庫では、前記制御装置は、前記貯蔵室を閉鎖する扉が開閉された場合に、前記貯蔵室の前記庫内環境に応じて前記モータを減速することを特徴とする。これにより、本発明の冷蔵庫によれば、ユーザが扉を開閉して被貯蔵物を貯蔵室に入れたときのみに、貯蔵室の庫内環境に応じて前記モータを減速するので、冷蔵庫の故障を庫内環境の変化と誤検知してしまうことを防止できる。
【００１８】
また、本発明の冷蔵庫では、前記貯蔵室の温度を計測する温度センサと、前記冷凍サイクルが前記貯蔵室を冷却する時間を計測するタイマと、を更に具備し、前記制御装置は、前記温度センサで計測された前記貯蔵室の温度変化が所定以上であった場合、または、前記タイマで計測した前記冷凍サイクルの連続運転時間が所定以上であった場合に、前記モータを減速することを特徴とする。これにより、本発明の冷蔵庫によれば、制御装置は、貯蔵室の温度変化が大きい場合、または、冷凍サイクルの連続運転時間が長い場合は、貯蔵室の温度を高める高温被貯蔵物が入れられたと判断し、モータの回転数を低くしてトルクを大きくすることで、駆動軸の凍結を防止することができる。
【００１９】
また、本発明の冷蔵庫では、前記制御装置が前記モータを減速する時間は、除霜行程が終了した後の２サイクル以内であることを特徴とする。これにより、本発明の冷蔵庫によれば、モータを減速することで動作音が増加するが、モータを減速する時間を限定することで、騒音が発生する期間を短くすることができる。
【図面の簡単な説明】
【００２０】
【図１】本発明の実施形態に係る冷蔵庫の正面外観図である。
【図２】本発明の実施形態に係る冷蔵庫の概略構造を示す側方断面図である。
【図３】本発明の実施形態に係る冷蔵庫の風路の概略を示す正面図である。
【図４】本発明の実施形態に係る冷蔵庫の送風機カバーが開いている状態を示す冷却室付近の側方断面図である。
【図５】本発明の実施形態に係る冷蔵庫の送風機カバーが閉じている状態を示す冷却室付近の側方断面図である。
【図６】本発明の実施形態に係る冷蔵庫を示す図であり、遮蔽装置を示す分解斜視図である。
【図７】本発明の実施形態に係る冷蔵庫を示す図であり、冷蔵庫の接続構成を示すブロック図である。
【図８】本発明の実施形態に係る冷蔵庫の運転方法を示すフローチャートである。
【図９】本発明の実施形態に係る冷蔵庫を示す図であり、ステッピングモータの駆動周波数とトルクとの関係を示すグラフである。
【図１０】本発明の実施形態に係る冷蔵庫を示す図であり、（Ａ）はステップＳ２０を詳細に示すフローチャートであり、（Ｂ）は圧縮機の起動から次回の起動までを異常検出期間に含める場合を示すチャートであり、（Ｃ）は圧縮機の停止から次回の停止までを異常検出期間に含める場合を示すチャートである。
【図１１】背景技術に係る冷蔵庫を示す側方断面図である。
【図１２】背景技術に係る冷蔵庫で採用される送風機カバーを示す斜視図である。
【発明を実施するための形態】
【００２１】
以下、本発明の実施形態に係る冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を前方から見た場合の左右を示している。
【００２２】
図１は、本発明の実施形態に係る冷蔵庫１０の概略構造を示す正面外観図である。図１に示すように、本実施形態に係る冷蔵庫１０は、本体としての断熱箱体１２を備え、断熱箱体１２の内部に食品等を貯蔵する貯蔵室が形成されている。この貯蔵室は、最上段が冷蔵室１３、その下段左側が製氷室１４で右側が上段冷凍室１５、更にその下段が下段冷凍室１６、そして最下段が野菜室１７である。なお、製氷室１４、上段冷凍室１５および下段冷凍室１６は、何れも冷凍温度域の貯蔵室である。以下の説明では適宜、これらをまとめて冷凍室１４１と称する場合もある。
【００２３】
断熱箱体１２の前面は開口しており、各貯蔵室に対応した開口には、各々断熱扉１８ないし断熱扉２２が開閉自在に設けられている。断熱扉１８１および断熱扉１８２は、冷蔵室１３の前面を分割して塞ぎ、断熱箱体１２に回動自在に支持されている。また、断熱扉１９ないし断熱扉２２は、各々収納容器と一体的に組み合わされ、冷蔵庫１０の前方に引出自在に、断熱箱体１２に支持されている。具体的には、断熱扉１９は製氷室１４を塞ぎ、断熱扉２０は上段冷凍室１５を塞ぎ、断熱扉２１は下段冷凍室１６を塞ぎ、断熱扉２２は野菜室１７を塞ぐ。
【００２４】
図２は、冷蔵庫１０の概略構造を示す側方断面図である。なお、図２ないし図５において、庫内を循環する冷気の流れを実線矢印で示している。図２に示すように、冷蔵庫１０の本体である断熱箱体１２は、前面が開口する鋼板製の外箱１２１と、外箱１２１内に間隙を持たせて配設され、前面が開口する合成樹脂製の内箱１２２と、外箱１２１と内箱１２２との間隙に充填発泡された発泡ポリウレタン製の断熱材１２３と、から構成されている。なお、上記した各断熱扉１８等も、断熱箱体１２と同様の断熱構造を採用している。
【００２５】
冷蔵室１３と、その下段に位置する冷凍室１４１は、断熱仕切壁３８によって区画されている。冷凍室１４１の内部の製氷室１４と上段冷凍室１５との間は、図示しない仕切壁によって仕切られている。また、製氷室１４および上段冷凍室１５と、その下段に設けられた下段冷凍室１６との間は、冷気が流通自在に連通している。そして、冷凍室１４１と野菜室１７は、断熱仕切壁３９によって区画されている。
【００２６】
冷蔵室１３の後方には、合成樹脂製の仕切部材３７で区画され、冷蔵室１３に冷気を供給する冷蔵室供給風路２４が形成されている。仕切部材３７には、冷蔵室１３に冷気を吹き出す吹出口２７が形成されている。また、冷蔵室供給風路２４には、冷蔵室ダンパ４４が設けられている。冷蔵室ダンパ４４は、モータ等によって駆動される開閉自在なダンパであり、冷蔵室１３に供給する冷気の流量を制御して、冷蔵室１３の庫内温度を適切に維持するためのものである。
【００２７】
冷凍室１４１の後方には、冷却器４２で冷却された冷気を冷凍室１４１に流す冷凍室供給風路２５が形成されている。冷凍室供給風路２５の更に後方には、冷却室２３が形成されており、その内部には、庫内を循環する冷気を冷却するための蒸発器である冷却器４２が配置されている。
【００２８】
冷却器４２は、圧縮機４１、図示しない凝縮器、図示しないキャピラリーチューブ等の膨張手段に冷媒配管を介して接続されており、蒸気圧縮式の冷凍サイクル回路を構成するものである。
【００２９】
図３は、冷蔵庫１０の供給風路の概略構成を示す正面図である。図３に示すように、冷蔵庫１０は、冷蔵室１３と野菜室１７をつなぐ野菜室供給風路２６を備えている。これにより、冷蔵室１３に供給された冷気は、冷蔵室１３の下部に形成された帰還口３１から野菜室供給風路２６に流入し、吹出口３０から吹き出されて野菜室１７に供給される。図２に示すように、野菜室１７には、冷却室２３の下部につながる帰還口３４が形成されており、野菜室１７内の冷気は、帰還口３４から冷却室２３の下部へと流れる。
【００３０】
図４および図５は、冷蔵庫１０の冷却室２３付近の構造を示す側方断面図である。図４は送風機カバー６１が開いている状態を示し、図５は送風機カバー６１が閉じている状態を示している。
【００３１】
図４に示すように、冷却室２３は、断熱箱体１２の内部で、冷凍室供給風路２５の奥側に設けられている。冷却室２３と、冷凍室供給風路２５または冷凍室１４１との間は、合成樹脂製の仕切部材３５によって仕切られている。即ち、冷却室２３は、内箱１２２と仕切部材３５によって挟まれて形成された空間である。
【００３２】
冷却室２３の前方に形成された冷凍室供給風路２５は、仕切部材３５とその前方に組み付けられた仕切部材４５との間に形成された空間であり、冷却器４２で冷却された冷気が流れる供給風路となる。冷凍室供給風路２５の上部は、冷蔵室供給風路２４につながっている。
【００３３】
仕切部材４５には、冷凍室１４１に冷気を吹き出す開口である吹出口２８が形成されている。下段冷凍室１６の下部背面には、冷凍室１４１から冷却室２３の下部に冷気を戻す帰還口３３が形成されている。
【００３４】
また、冷却器４２の下方には、冷却器４２に付着した霜を融かして除去する除霜手段として、除霜ヒータ４３が設けられている。除霜ヒータ４３は、電気抵抗加熱式のヒータである。
【００３５】
冷却室２３上部の仕切部材４５には、冷凍室供給風路２５につながる開口である送風口３６が形成されている。送風口３６の前方には、冷凍室１４１等に冷気を送り出す送風機５０が配設されている。送風機５０は、ファン５２を備えた遠心送風機である。
【００３６】
送風機５０の前方には、可動式の送風機カバー６１を有する遮蔽装置６０が設けられている。送風機カバー６１は、冷凍室供給風路２５側から送風機５０に接近して、送風機５０および送風口３６を少なくとも部分的に覆う。
【００３７】
送風機カバー６１は、仕切部材４５側に設けられる駆動軸６２によって駆動されて前後方向に移動する。送風機カバー６１が前方に移動して送風機５０から離れることにより、送風機カバー６１と仕切部材４５との間に冷気の風路が形成される。これにより、冷却器４２で冷却された冷気が送風機５０で送り出されて冷蔵室１３、冷凍室１４１および野菜室１７に供給される。
【００３８】
他方、図５に示すように、送風機カバー６１が後方に移動して送風機５０に接近することにより、送風機カバー６１で送風機５０が覆われ、送風口３６が塞がれて、上段冷凍室１５等に冷気が流れる風路が遮蔽される。一方、この状態では、送風機カバー６１の上部に形成された開口部を経由して、冷気が冷蔵室供給風路２４を通過して冷蔵室１３に向かって送風される。
【００３９】
送風機カバー６１は、送風機５０に対向する面が略凹形状に成形されている。これにより、送風機カバー６１は、送風口３６の前方に配置される送風機５０のファン５２に接触することなく、送風口３６を塞ぐことができる。
【００４０】
上記の遮蔽装置６０の開閉動作は、後述する制御装置７０によって制御され、例えば、冷却器４２に付着した霜を除去する除霜運転の際に、図５に示す如く、送風機カバー６１が閉じられる。
【００４１】
上記したように、冷蔵庫１０では、送風機５０で送風した冷気は、冷蔵室１３、冷凍室１４１および野菜室１７に送風される。また、冷蔵室１３、冷凍室１４１および野菜室１７を冷却した冷気は、帰還風路を経由して冷却室２３に帰還する。よって、冷蔵室１３、冷凍室１４１および野菜室１７に貯蔵された被貯蔵物に含まれる水分は、冷却室２３に帰還した後に冷却器４２に付着して着霜する。この着霜が進行すると、冷却室２３に於ける送風および熱交換が妨げられるので、除霜運転を行う。除霜運転では、後述する制御装置７０は、圧縮機４１および送風機５０を停止し、送風口３６を送風機カバー６１で塞ぎ、冷蔵室ダンパ４４を閉じ、除霜ヒータ４３に通電する。これにより、冷却室２３の内部が暖められ、冷却器４２に付着した霜が融ける。
【００４２】
冷却器４２の霜取りが完了すると、後述する制御装置７０は、除霜ヒータ４３の通電を止め、圧縮機４１を起動し、冷凍サイクルによる冷却を開始する。そして、制御装置７０は、冷却器４２および冷却室２３が所定の温度まで冷却されたことを検出した後、或いはタイマ等で所定の時間が経過した後、図４に示すように、送風機カバー６１を開き、送風機５０の運転を開始する。これにより、冷却運転を再開することができる。
【００４３】
ここで、冷却室２３の直近に遮蔽装置６０が配設されていることから、上記した水分が遮蔽装置６０に付着すると、遮蔽装置６０の駆動機構が凍結し、遮蔽装置６０の開閉動作が行えなくなる恐れがある。本実施形態では、後述するように、遮蔽装置６０の駆動機構が凍結する恐れが大きい状況では、遮蔽装置６０を駆動するモータのトルクを大きくすることで、遮蔽装置６０の駆動機構が動作困難になることを防止している。
【００４４】
図６を参照して、上記した遮蔽装置６０の構成を説明する。図６は、遮蔽装置６０を後側上方から見て示す分解斜視図である。
【００４５】
遮蔽装置６０は、送風機５０を冷却室２３の外側から開閉自在に塞ぐ送風機カバー６１と、送風機カバー６１を冷却室２３の反対から開閉駆動する駆動軸６２と、送風機５０を支持すると共に送風機カバー６１および駆動軸６２を摺動自在に支持する支持基体６３と、を有する。遮蔽装置６０は、上記した冷凍室１４１を区切る仕切部材４５の一部である貯蔵室側カバー６４と、上記した冷凍室供給風路２５を区切る仕切部材３５の一部である冷却室側カバー６９との間に配置される。また、遮蔽装置６０は、上記した仕切部材４５の一部を構成する貯蔵室側カバー６４の後面に取り付けられる。詳しくは、仕切部材４５の後面には、前方に向かって凹む凹部６５が形成されており、遮蔽装置６０は、凹部６５に収納される。
【００４６】
送風機カバー６１は、上記したように、送風機５０を適宜塞ぐ蓋状の部材であり、主面部８０と、主面部８０の周縁部から後方に向かって立設された側面部８１と、を有する。主面部８０の側方周縁および下方周縁からは側面部８１が立設しており、主面部８０の上方周縁には側面部８１は立設されていない。送風機カバー６１の上端部分には開口部８２が形成されている。これにより、送風機カバー６１で送風機５０を塞いだ場合でも、開口部８２を経由して冷気を冷蔵室１３に送風できる。なお、後述する支持基体６３のガイドピン６６に嵌合するガイド孔６７は、側面部８１の外側に配置される。また、送風機カバー６１の主面部８０の中央付近には、略円形状に貫通して内側にネジ溝が形成されたねじ孔である開口部８０１が形成されている。
【００４７】
支持基体６３には、送風機カバー６１を前後方向に摺動可能に支持する略円柱状のガイドピン６６が形成されている。ガイドピン６６は、ここでは２本設けられ、それぞれ支持基体６３の主面から後方に向かって、ファン５２の回転軸に対して略平行に延在する。送風機カバー６１には、ガイドピン６６が摺動自在に嵌合するガイド孔６７が形成されている。
【００４８】
支持基体６３の主面から後方に向かって、３本の送風機支持部７７が垂直に立設されている。送風機支持部７７は円柱状を呈し、その後方側の端部は、送風機カバー６１の主面に形成された貫通孔７８を貫通し、送風機５０の鍔部７９の前面に当接している。送風機支持部７７と送風機５０の鍔部７９とは、ネジなどの締結手段で締結される。
【００４９】
また、支持基体６３の主面の下方部分から後方に向かって、２本の仕切部材支持部７６が垂直に立設されている。仕切部材支持部７６の後端は、仕切部材３５の冷却室側カバー６９に当接してネジ止めなどで締結される。
【００５０】
支持基体６３には、送風機カバー６１を前後方向に移動させるための駆動軸６２が取り付けられる。駆動軸６２は、支持基体６３に形成された軸支持部８６に回転自在に支持されている。
【００５１】
駆動軸６２は、円筒形状に形成された胴体部６２１を有しており、胴体部６２１の外側面には、ここでは図示しないネジ山が螺旋状に形成されている。駆動軸６２の胴体部６２１のネジ山は、送風機カバー６１の開口部８０１のネジ溝に螺合する。即ち、送風機カバー６１と駆動軸６２との間にネジ機構が形成されている。また、支持基体６３には図示しないステッピングモータが内蔵されており、そのステッピングモータの駆動力で駆動軸６２は所定角度回転する。駆動軸６２を一方向に回転させると、送風機カバー６１が送風機５０に近づき、図５に示したように、風路が閉状態となる。他方、モータが駆動軸６２を他方向に回転させると、送風機カバー６１が送風機５０から離れ、図４に示したように、風路が開状態となる。
【００５２】
送風機５０は、上記したように、冷却室２３の送風口３６を覆う位置に設置されており、送風口３６よりも前方側、即ち上記した冷凍室１４１側に配置されている。送風機５０としては、遠心方向に向かって冷気を送風する遠心送風機を採用することができ、具体的にはターボファンを採用できる。
【００５３】
図７のブロック図を参照して、冷蔵庫１０の接続構成を説明する。冷蔵庫１０は、制御装置７０、温度センサ９１、タイマ９２、圧縮機４１、送風機５０、モータ９３、冷蔵室ダンパ４４および除霜ヒータ４３を有している。温度センサ９１およびタイマ９２は、制御装置７０の入力側端子に接続されている。圧縮機４１、送風機５０、モータ９３、冷蔵室ダンパ４４および除霜ヒータ４３は、制御装置７０の出力側端子に接続されている。
【００５４】
温度センサ９１は、上記した冷蔵室１３、冷凍室１４１および野菜室１７の内部に夫々配置され、これらの各貯蔵室の庫内温度を示す情報を制御装置７０に伝送する。
【００５５】
タイマ９２は、冷蔵室１３、冷凍室１４１および野菜室１７を冷却する冷却時間や除霜ヒータ４３の運転時間等を計測し、その時間を示す情報を制御装置７０に伝送する。
【００５６】
圧縮機４１は、制御装置７０からの指示に従い、上記したように、冷凍サイクルで用いられる冷媒を圧縮する。
【００５７】
送風機５０は、制御装置７０からの指示に従い、上記したように、冷凍サイクルの冷却器４２が冷却した冷気を各貯蔵室に向かって送風する。
【００５８】
モータ９３は、制御装置７０からの指示に従い、上記した遮蔽装置６０の駆動軸６２を所定角度回転させる。モータ９３としては、例えばステッピングモータが採用される。
【００５９】
冷蔵室ダンパ４４は、制御装置７０からの指示に従い、冷蔵室供給風路２４に送風される冷気を適宜遮断する。
【００６０】
除霜ヒータ４３は、制御装置７０からの指示に従い、通電されることで、冷却室２３の内部の空気を暖める。
【００６１】
図８に示すフローチャートに基づいて、上記した各図も参照しつつ、冷蔵庫１０の冷却運転に於いて、貯蔵室の環境が異常状態となった際に、遮蔽装置６０の凍結を防止する方法を説明する。
【００６２】
本実施形態に於いて、遮蔽装置６０の凍結を防止する方法の概要を先ず説明する。ユーザが冷蔵庫１０を利用する際に、冷蔵室１３に、高温多湿な被貯蔵物を収納されることが考えられる。高温多湿の被貯蔵物は、例えば、熱いままの鍋物や出汁等である。この場合、図２を参照して、高温多湿の被貯蔵物から発せられる水分は、野菜室供給風路２６、野菜室１７、帰還口３４を経由して、冷却室２３に到達する。上記したように、冷却室２３の送風口３６には、遮蔽装置６０が隣接されているので、この水分が遮蔽装置６０に付着して凍結すると、遮蔽装置６０の開閉動作が阻害されてしまう恐れがある。具体的には、図６を参照して、駆動軸６２の胴体部６２１の周囲に形成れたネジ山と、送風機カバー６１の開口部８０１に形成されたネジ溝とから成るネジ機構が凍結して固まる恐れがある。このため、本実施形態では、冷蔵室１３に高温多湿の被貯蔵物が収納されたら、その状態を異常状態と検知し、上記した遮蔽装置６０を駆動するモータの回転数を低減することでトルクを増大させ、遮蔽装置６０のネジ機構が凍結することで固まってしまうことを防止している。この制御方法を以下に詳述する。
【００６３】
先ず、ステップＳ１０では、制御装置７０は、温度センサ９１で計測した冷凍室１４１の庫内温度が−５℃以下であるか否かを判断する。制御装置７０は、冷凍室１４１の庫内温度が−５℃以下であれば、即ち、ステップＳ１０がＹＥＳであれば、後述するステップＳ１１に移行し、冷蔵庫１０が異常状態であるか否かを判断する。一方、冷凍室１４１の庫内温度が−５℃よりも高ければ、即ち、ステップＳ１０がＮＯであれば、制御装置７０は、ステップＳ３１に移行し、圧縮機４１を稼働することで冷凍室１４１等の冷却運転を続行する。
【００６４】
ステップＳ１１では、圧縮機４１がＯＮ状態であるか否かを判断する。本実施形態では、冷蔵室１３を閉鎖する断熱扉１８が開閉された後に、１サイクルに渡り、冷蔵室１３の庫内状況が異常であるか否かを確認する。ここで、１サイクルとは、圧縮機４１のＯＮ状態から次のＯＮ状態までの期間、または、圧縮機４１のＯＦＦ状態から次のＯＦＦ状態までの期間のことである。また、１サイクルは１時間程度である。確認時間を、１サイクルである１時間程度確保することで、冷蔵室１３に高温多湿の被貯蔵物が入れられた状態である異常状態を、確実に検知することができる。
【００６５】
圧縮機４１がＯＮ状態の場合、即ち、ステップＳ１１がＹＥＳの場合は、制御装置７０は、ステップＳ１２に移行し、断熱扉１８が開閉されたか否かを判断する。ユーザが、冷蔵室１３に被貯蔵物を入れる際には、断熱扉１８を開閉するので、断熱扉１８の開閉を判断することで、冷蔵室１３に被貯蔵物が入れられたか否かを判断することができる。
【００６６】
断熱扉１８が開閉されることで冷蔵室１３に被貯蔵物が入れられた可能性がある場合、即ちステップＳ１２がＹＥＳの場合、制御装置７０は、ステップＳ１３で、フラグＦ１に１をセットする。フラグＦ１は、圧縮機４１のＯＮ状態の際に、断熱扉１８が開閉動作されたことを示すフラグである。一方、断熱扉１８が開閉されない場合、即ちステップＳ１２がＮＯの場合、冷蔵室１３に被貯蔵物が入れられないので、制御装置７０は、フラグＦ１に１をセットすることなく０のままとし、ステップＳ１４に移行する。
【００６７】
ステップＳ１４では、制御装置７０は、フラグＦ２に１がセットされていないかどうか判断する。フラグＦ２は、圧縮機４１がＯＦＦ状態で断熱扉１８が開閉された場合に１がセットされており、そうでない場合は０がセットされている。
【００６８】
フラグＦ２が１でない場合、即ちステップＳ１４がＹＥＳの場合は、圧縮機４１の１サイクルが経過していないので、ステップＳ１５に移行し、異常状態の検出を続行する。
【００６９】
一方、フラグＦ２が１である場合、即ち、ステップＳ１４がＮＯの場合は、圧縮機４１がＯＦＦ状態の際に断熱扉１８が開閉されたことを意味する。よって、制御装置７０は、次の圧縮機４１のＯＦＦ状態からＯＮ状態に反転する時まで、異常検出を行うことになる。
【００７０】
よって、制御装置７０は、ステップＳ１６以降で、庫内環境の異常状態検出を続行することなく、ステップＳ１０に戻る。
【００７１】
ステップＳ１５では、制御装置７０は、フラグＦ１に１がセットされているか否かを判断する。フラグＦ１に１がセットされていれば、即ちステップＳ１５がＹＥＳの場合は、断熱扉１８の開閉が行われているので、冷蔵室１３に高温被貯蔵物が存在する可能性があることから、ステップＳ１６に移行する。一方、フラグＦ１に１がセットされていなければ、即ちステップＳ１５がＮＯの場合は、断熱扉１８の開閉が行われておらず、冷蔵室１３に高温被貯蔵物が存在しないので、異常状態を検出せずに、ステップＳ１０に戻る。
【００７２】
ステップＳ１６では、制御装置７０は、ステップＳ１２の前後に於いて、即ち断熱扉１８の開閉が行われた前後で、冷蔵室１３の庫内の温度上昇が６℃以上であるか否かを判断する。冷蔵室１３の庫内の温度上昇が６℃以上であれば、鍋物などの高温の被貯蔵物が冷蔵室１３に入れられたと判断することが出来る。冷蔵室１３の庫内の温度上昇が６℃以上であれば、即ちステップＳ１６がＹＥＳあれば、制御装置７０は、ステップＳ１８で異常状態を検出する。一方、冷蔵室１３の庫内の温度上昇が６℃未満であれば、即ちステップＳ１６がＮＯであれば、制御装置７０は、ステップＳ１７に移行する。
【００７３】
ステップＳ１７では、制御装置７０は、圧縮機４１および送風機５０を運転することで、冷蔵室１３を冷却運転している時間が３０分以上経過しているか否かを判断する。この判断を行うことで、冷蔵室１３に高温の被貯蔵物が収納され、その冷却に長時間を要していることを判断することができる。この運転時間が３０分以上経過していれば、即ちステップＳ１７がＹＥＳであれば、制御装置７０は、冷蔵室１３に高温の被貯蔵物が存在すると判断し、ステップＳ１８で異常状態を検出する。一方、この運転時間が３０分以上経過していなければ、即ちステップＳ１７がＮＯであれば、冷蔵室１３に高温の被貯蔵物が存在しないと判断し、異常状態を検出することなく、ステップＳ２１に移行する。
【００７４】
一方、上記したステップＳ１１でＮＯの場合、即ち圧縮機４１がＯＦＦ状態の場合は、制御装置７０は、ステップＳ２４に移行し、圧縮機４１がＯＦＦ状態の場合に於いて、上記したステップＳ１２ないしステップＳ１７と同様の方法で異常状態を検出する。
【００７５】
具体的には、圧縮機４１がＯＦＦ状態の場合、即ち、ステップＳ１１がＮＯの場合は、制御装置７０は、ステップＳ２４に移行し、断熱扉１８が開閉されたか否かを判断する。      
【００７６】
断熱扉１８が開閉されることで冷蔵室１３に被貯蔵物が入れられた可能性がある場合、即ちステップＳ２４がＹＥＳの場合、制御装置７０は、ステップＳ２５で、フラグＦ２に１をセットする。一方、断熱扉１８が開閉されない場合、即ちステップＳ２４がＮＯの場合、冷蔵室１３に被貯蔵物が入れられないので、制御装置７０は、フラグＦ２に１をセットすることなく０のままとし、ステップＳ２６に移行する。
【００７７】
ステップＳ２６では、制御装置７０は、フラグＦ１に１がセットされていないかどうかを判断する。フラグＦ１は、上記したように、圧縮機４１がＯＮ状態で断熱扉１８が開閉された場合に１がセットされており、そうでない場合は０がセットされている。
【００７８】
フラグＦ１が１でない場合、即ちステップＳ２６がＹＥＳの場合は、圧縮機４１の１サイクルが経過していないので、ステップＳ２７に移行し、異常状態の検出を続行する。一方、フラグＦ１が１である場合、換言するとステップＳ２６がＮＯの場合は、圧縮機４１がＯＮ状態の際に断熱扉１８が開閉されたことを意味するので、次の圧縮機４１がＯＮ状態からＯＦＦ状態に反転する時まで異常検出を行うことになる。よって、制御装置７０は、ステップＳ２７以降の異常状態の検出を続行することなく、ステップＳ２１に移行する。このようにすることで、制御装置７０は、圧縮機４１がＯＮ状態から次のＯＮ状態になるまで、または、圧縮機４１がＯＦＦ状態から次のＯＦＦ状態になるまで、異常状態の検出を行うことになる。
【００７９】
ステップＳ２７では、制御装置７０は、フラグＦ２に１がセットされているか否かを判断する。フラグＦ２に１がセットされていれば、即ちステップＳ２７がＹＥＳの場合は、断熱扉１８の開閉が行われ、冷蔵室１３に高温の被貯蔵物が存在する可能性があるので、ステップＳ２８に移行する。一方、フラグＦ２に１がセットされていなければ、即ちステップＳ２７がＮＯの場合は、断熱扉１８の開閉が行われておらず、冷蔵室１３に高温被貯蔵物が存在しないので、異常状態を検出せずに、ステップＳ２１に移行する。
【００８０】
ステップＳ２８では、制御装置７０は、断熱扉１８の開閉前後に於いて、冷蔵室１３の庫内の温度上昇が６℃以上であるか否かを判断する。冷蔵室１３の庫内の温度上昇が６℃以上であれば、即ちステップＳ２８がＹＥＳあれば、制御装置７０は、ステップＳ１８で異常状態を検出する。一方、冷蔵室１３の庫内の温度上昇が６℃未満であれば、即ちステップＳ２８がＮＯあれば、制御装置７０は、ステップＳ２９に移行する。
【００８１】
ステップＳ２９では、制御装置７０は、圧縮機４１および送風機５０を運転することで、冷蔵室１３を冷却している時間が３０分以上経過しているか否かを判断する。この運転時間が３０分以上経過していれば、即ちステップＳ２９がＹＥＳであれば、冷蔵室１３に高温の被貯蔵物が存在すると判断し、ステップＳ１８で異常状態を検出する。一方、この運転時間が３０分以上経過していなければ、即ちステップＳ２９がＮＯであれば、冷蔵室１３に高温の被貯蔵物が存在しないと判断し、異常状態を検出することなく、ステップＳ２１に移行する。
【００８２】
ステップＳ１８で異常状態を検出した後は、制御装置７０は、ステップＳ１９で冷蔵室１３の庫内温度がＯＦＦ点に到達しているか否かを判断する。ここでＯＦＦ点とは、冷蔵室１３が充分に冷却されており冷凍サイクルの圧縮機４１を停止させる温度である。冷蔵室１３の庫内温度がＯＦＦ点に到達していれば、即ちステップＳ１９がＹＥＳの場合は、冷蔵室１３に収納された被貯蔵物は充分に冷却されているので、制御装置７０は、ステップＳ２０で異常状態を解除し、フラグＦ１に０をセットし、フラグＦ２に０をセットする。フラグＦ１およびＦ２をリセットする方法は、図１０を参照して後述する。一方、冷蔵室１３の庫内温度がＯＦＦ点に到達していなければ、即ちステップＳ１９がＮＯの場合は、冷蔵室１３は充分に冷却されていないので、制御装置７０は、ステップＳ１０に戻り、冷却運転を続行する。
【００８３】
ステップＳ２１では、制御装置７０は、除霜運転を行った後に２サイクル内であるか否かを確認する。２サイクル内であれば、即ちステップＳ２１がＹＥＳであれば、制御装置７０は、異常時の動作を行うために、ステップＳ２２に移行する。一方、２サイクル内でなければ、即ちステップＳ２１がＮＯであれば、制御装置７０は、異常時の動作を行うことなく、ステップＳ１０に戻る。
【００８４】
ステップＳ２１における判断を行うことで、異常状態の場合、制御装置７０は、後述するステップＳ２３に於けるトルク増強を、１サイクル以上連続して行うことができる。よって、駆動軸６２と送風機カバー６１との凍結を防止する効果が大きくなる。
【００８５】
また、以下のステップＳ２３では、凍結を防止するべくモータ９３を減速するが、モータ９３を減速するとモータ音が大きくなる。そこで、モータ９３を減速する期間を２サイクル以内に限定することで、モータ音が大きくなる時間を限定的にできる。
【００８６】
ステップＳ２２では、制御装置７０は、上記したステップＳ１８で異常状態を検出したか否かを判断する。異常状態を検出したら、即ちステップＳ２２がＹＥＳであれば、制御装置７０は、ステップＳ２３に移行する。一方、異常状態を検出しなければ、即ちステップＳ２２がＮＯであれば、制御装置７０は、ステップＳ３０に移行する。
【００８７】
ステップＳ２３では、制御装置７０は、遮蔽装置６０の開閉駆動を行うモータ９３の駆動速度を減速する。例えば、制御装置７０は、モータ９３の駆動速度を、５００ＰＰＳから１５０ＰＰＳに変更する。このようにすることで、上記した凍結により遮蔽装置６０が動作不能になってしまうことを防止することができる。
【００８８】
具体的には、冷蔵室１３に高温多湿の被貯蔵物が収納されることで、冷蔵庫１０の内部を流通した水分の一部は、図６に示した駆動軸６２の胴体部６２１と、送風機カバー６１の開口部８０１との間に付着する。その付着した水分が凍結すると、胴体部６２１と開口部８０１との間に形成されたネジ機構が固まってしまう。その結果、制御装置７０の指示に基づいてモータ９３を回転させようとしても、固まった駆動軸６２が回転することができず、送風機カバー６１を前後方向に移動させることができない恐れがある。
【００８９】
そこで、ステップＳ２３において、制御装置７０は、ステッピングモータであるモータ９３の駆動速度を１５０ＰＰＳまで低減している。
【００９０】
図９は、ステッピングモータの駆動周波数とトルクとの関係を示したグラフである。
【００９１】
横軸がステッピングモータの駆動周波数を示し、縦軸がステッピングモータのトルクを示している。この図から明らかなように、駆動周波数とトルクとは負の相関関係にあり、駆動周波数を下げるとトルクは大きくなる。本実施形態のように、駆動周波数を５００ＰＰＳから１５０ＰＰＳに低減した場合、モータ９３のトルクは、約２０Ｎから約３０Ｎまで増加する。
【００９２】
このことから、ステップＳ２３で、モータ９３の駆動周波数を１５０ＰＰＳまで低減することで、モータ９３のトルクを約１．５倍まで高めることができる。よって、図６を参照して、駆動軸６２の胴体部６２１と、送風機カバー６１の開口部８０１との間に、若干の水分が存在したとしても、モータ９３の大きなトルクで駆動軸６２を回転させ、駆動軸６２が凍結により固まってしまうことを防止することができる。
【００９３】
一方、異常状態が検出されなければ、即ちステップＳ２２がＮＯであれば、駆動軸６２が凍結する恐れはないので、モータ９３の駆動周波数は５００ＰＰＳのまま高速に維持される。
【００９４】
ここで、図１０を参照して、異常検出期間を設定するために用いられるフラグであるＦ１およびＦ２をリセットするステップＳ２０を詳述する。図１０（Ａ）はステップＳ２０を詳細に示すフローチャートであり、図１０（Ｂ）は圧縮機４１の起動から次回の起動までを異常検出期間に含める場合を示すチャートであり、図１０（Ｃ）は圧縮機４１の停止から次回の停止までを異常検出期間に含める場合を示すチャートである。
【００９５】
図１０（Ａ）を参照して、Ｆ１およびＦ２をリセットするステップＳ２０は、ステップＳ２００１ないしステップＳ２０１２を含む。
【００９６】
ステップＳ２００１では、制御装置７０は、圧縮機４１がＯＦＦ状態からＯＮ状態に移行したか否か、即ち、圧縮機４１が起動したか否かを判断する。圧縮機４１がＯＦＦ状態からＯＮ状態に移行したら、即ちステップＳ２００１がＹＥＳの場合は、制御装置７０は、ステップＳ２００２に移行する。一方、圧縮機４１がＯＦＦ状態からＯＮ状態に移行しなければ、即ちステップＳ２００１がＮＯの場合は、制御装置７０は、ステップＳ２００７に移行する。
【００９７】
ステップＳ２００２では、制御装置７０は、Ｆ２に１がセットされているか否かを判断する。Ｆ２に１がセットされていれば、即ちステップＳ２００２がＹＥＳであれば、制御装置７０は、ステップＳ２００３に移行する。一方、Ｆ２に１がセットされていなければ、即ちステップＳ２００２がＮＯあれば、制御装置７０は、ステップＳ２１に移行する。上記したように、フラグＦ２は、圧縮機４１がＯＦＦ状態で断熱扉１８が開閉された場合に１がセットされており、そうでない場合は０がセットされている。
【００９８】
ステップＳ２００３では、制御装置７０は、圧縮機ＯＮカウントが１であるか否かを確認する。圧縮機ＯＮカウントとは、ユーザが扉を開けた後に、圧縮機４１が起動したことを示すフラグである。ユーザが扉を開けた後に圧縮機４１が起動したら、圧縮機ＯＮカウントには１がセットされており、そうでない場合は圧縮機ＯＮカウントには０がセットされている。圧縮機ＯＮカウントが１であれば、即ちステップＳ２００３がＹＥＳあれば、制御装置７０は、ステップＳ２００５に移行する。一方、圧縮機ＯＮカウントが１でなければ、即ちステップＳ２００３がＮＯあれば、制御装置７０は、ステップＳ２００４に移行する。
【００９９】
ステップＳ２００４では、制御装置７０は、圧縮機ＯＮカウントに１をセットする。
【０１００】
ステップＳ２００５では、異常検出期間が終了したので、制御装置７０は、圧縮機ＯＮカウントに０をセットする。更に、ステップＳ２００６では、制御装置７０は、Ｆ２に０をセットすることでリセットを行う。
【０１０１】
図１０（Ｂ）を参照して、ステップＳ２００１からステップＳ２００６を実行することで、食材を投入するべく断熱扉１８を開閉してから、圧縮機４１の起動を２回経るまでの期間を異常検出期間とすることができる。
【０１０２】
ステップＳ２００７では、制御装置７０は、圧縮機４１がＯＮ状態からＯＦＦ状態に移行したか否か、即ち、圧縮機４１が停止したか否かを判断する。圧縮機４１がＯＮ状態からＯＦＦ状態に移行したら、即ち、ステップＳ２００７がＹＥＳの場合は、制御装置７０は、ステップＳ２００８に移行する。一方、圧縮機４１がＯＮ状態からＯＦＦ状態に移行しなければ、即ちステップＳ２００７がＮＯの場合は、制御装置７０は、ステップＳ２１に移行する。
【０１０３】
ステップＳ２００８では、制御装置７０は、Ｆ１に１がセットされているか否かを判断する。Ｆ１に１がセットされていれば、即ちステップＳ２００８がＹＥＳであれば、制御装置７０は、ステップＳ２００９に移行する。一方、Ｆ１に１がセットされていなければ、即ちステップＳ２００８がＮＯあれば、制御装置７０は、ステップＳ２１に移行する。上記したように、フラグＦ１は、圧縮機４１のＯＮ状態の際に、断熱扉１８が開閉動作されたことを示すフラグである。
【０１０４】
ステップＳ２００９では、制御装置７０は、圧縮機ＯＦＦカウントが１であるか否かを判断する。圧縮機ＯＦＦカウントとは、ユーザが断熱扉１８を開けた後に、圧縮機４１が停止した（ＯＮ状態からＯＦＦ状態に移行した）ことを示すフラグである。ユーザが断熱扉１８を開けた後に圧縮機４１が停止したら、圧縮機ＯＦＦカウントには１がセットされており、そうでない場合は圧縮機ＯＦＦカウントには０がセットされている。圧縮機ＯＦＦカウントが１であれば、即ちステップＳ２００９がＹＥＳあれば、制御装置７０は、ステップＳ２０１１に移行する。一方、圧縮機ＯＦＦカウントが１でなければ、即ちステップＳ２００９がＮＯあれば、制御装置７０は、ステップＳ２０１０に移行する。
【０１０５】
ステップＳ２０１０では、制御装置７０は、圧縮機ＯＦＦカウントに１をセットする。
【０１０６】
ステップＳ２０１１では、異常検出期間が終了したので、制御装置７０は、圧縮機ＯＦＦカウントに０をセットする。更に、ステップＳ２０１２では、制御装置７０は、Ｆ１に０をセットすることでリセットを行う。
【０１０７】
図１０（Ｃ）を参照して、ステップＳ２００７からステップＳ２０１２を実行することで、食材を投入するべく断熱扉１８を開閉してから、圧縮機４１の停止を２回経るまでの期間を異常検出期間とすることができる。
【０１０８】
以上が冷蔵庫１０の冷却運転に於いて、駆動軸６２の凍結を防止する方法の説明である。
【０１０９】
本発明は、上記実施形態に限定されるものではなく、その他、本発明の要旨を逸脱しない範囲で、種々の変更実施が可能である。
【符号の説明】
【０１１０】
１０   冷蔵庫
１２   断熱箱体
１２１ 外箱
１２２ 内箱
１２３ 断熱材
１３   冷蔵室
１４   製氷室
１４１ 冷凍室
１５   上段冷凍室
１６   下段冷凍室
１７   野菜室
１８   断熱扉
１８１ 断熱扉
１８２ 断熱扉
１９   断熱扉
２０   断熱扉
２１   断熱扉
２２   断熱扉
２３   冷却室
２４   冷蔵室供給風路
２５   冷凍室供給風路
２６   野菜室供給風路
２７   吹出口
２８   吹出口
３０   吹出口
３１   帰還口
３３   帰還口
３４   帰還口
３５   仕切部材
３６   送風口
３７   仕切部材
３８   断熱仕切壁
３９   断熱仕切壁
４１   圧縮機
４２   冷却器
４３   除霜ヒータ
４４   冷蔵室ダンパ
４５   仕切部材
５０   送風機
５２   ファン
６０   遮蔽装置
６１   送風機カバー
６２   駆動軸
６２１ 胴体部
６３   支持基体
６４   貯蔵室側カバー
６５   凹部
６６   ガイドピン
６７   ガイド孔
６９   冷却室側カバー
７０   制御装置
７６   仕切部材支持部
７７   送風機支持部
７８   貫通孔
７９   鍔部
８０   主面部
８０１ 開口部
８１   側面部
８２   開口部
８６   軸支持部
９１   温度センサ
９２   タイマ
９３   モータ
１００ 冷蔵庫
１０１ 冷蔵室
１０２ 冷凍室
１０３ 野菜室
１０４ 冷却室
１０５ 区画壁
１０６ 開口部
１０７ 送風ファン
１０８ 冷却器
１０９ 風路
１１０ 送風機カバー
１１１ 凹部
１１３ 開口部
１１４ ダンパ
【図１】
2020094710.tif 000003
【図２】
2020094710.tif 000004
【図３】
2020094710.tif 000005
【図４】
2020094710.tif 000006
【図５】
2020094710.tif 000007
【図６】
2020094710.tif 000008
【図７】
2020094710.tif 000009
【図８】
2020094710.tif 000010
【図９】
2020094710.tif 000011
【図１０】
2020094710.tif 000012
【図１１】
2020094710.tif 000013
【図１２】
2020094710.tif 000014